(57)【要約】      （修正有）【課題】各種事業者に共通したアプリケーションを利用し、端末連携サービスの拡張を促進する。【解決手段】放送信号及びコンテンツ信号を受信して、放送通信連携サービス提供システム１を実現する受信装置５に近距離無線で双方向通信する端末装置６と通信するサービス提供装置７は、端末装置のユーザー情報を端末装置から受信し、放送通信連携サービスを提供する放送通信連携アプリ１７ａを制御する第１端末連携アプリ１８ａが受信装置で起動し、且つ、第１端末連携アプリとの端末連携サービスを提供する第２端末連携アプリ２６ａが端末装置で起動しているとき、受信装置で視聴されている番組について、第１端末連携アプリ及び第２端末連携アプリの連携によって、端末装置が受信装置から受信した視聴情報を、端末装置から受信し、端末装置から受信した視聴情報を、ユーザー情報に関連付けて視聴ログとして蓄積する。【選択図】図１
2020039042.tif 000002
【特許請求の範囲】
【請求項１】
放送信号及びコンテンツ信号を受信して放送通信連携サービスを実現する受信装置と近距離無線により双方向通信する端末装置に対して、ネットワークを介して通信するサービス提供装置であって、
前記端末装置のユーザーについて登録されたユーザー情報を前記端末装置から受信し、
前記放送通信連携サービスを提供する放送通信連携アプリを制御する第１端末連携アプリが前記受信装置で起動し、且つ、前記第１端末連携アプリとの端末連携サービスを提供する第２端末連携アプリが前記端末装置で起動しているとき、前記放送信号により前記受信装置で視聴されている番組について、前記第１端末連携アプリ及び前記第２端末連携アプリの連携によって、前記端末装置が前記受信装置から受信した視聴情報を、前記端末装置から受信し、
前記端末装置から受信した前記視聴情報を、前記ユーザー情報に関連付けて視聴ログとして蓄積することを特徴とするサービス提供装置。
【請求項２】
複数の番組に関する番組情報を外部から収集し、
前記端末装置から受信した前記ユーザー情報及び前記視聴情報に基づいて、前記受信装置で受信可能な１つ以上の番組又は前記ユーザーに推薦する１つ以上の番組を、前記複数の番組から候補番組として検索し、
前記受信装置を操作する前記第２端末連携アプリによるリモコン画面で前記候補番組の番組表を表示できるように、前記候補番組の前記番組情報を前記端末装置へ送信することを特徴とする請求項１に記載のサービス提供装置。
【請求項３】
公開されている複数の公開コンテンツに関する公開コンテンツ情報を外部から収集し、
前記端末装置から受信した前記ユーザー情報及び前記視聴情報に基づいて、前記複数の公開コンテンツから、前記受信装置で受信可能な１つ以上の公開コンテンツ又は前記ユーザーに推薦する１つ以上の公開コンテンツを判定し、
前記第１端末連携アプリ及び／又は前記第２端末連携アプリによって前記１つ以上の公開コンテンツを選択できるように、前記１つ以上の公開コンテンツの前記公開コンテンツ情報を前記端末装置へ送信することを特徴とする請求項１に記載のサービス提供装置。
【請求項４】
前記受信装置で視聴される番組又は該番組に挿入されるＣＭに連動して前記第１端末連携アプリ及び／又は前記第２端末連携アプリで提供される連動コンテンツを予め蓄積して管理し、
前記視聴情報及び現在の視聴時刻に応じて、前記第１端末連携アプリ及び／又は前記第２端末連携アプリによって前記連動コンテンツを提供させるように前記連動コンテンツを前記端末装置へ送信することを特徴とする請求項１に記載のサービス提供装置。
【請求項５】
前記視聴ログに基づく視聴ポイントを前記ユーザーに付与して前記ユーザー情報に関連付けて記録することを特徴とする請求項１に記載のサービス提供装置。
【請求項６】
放送信号及びコンテンツ信号を受信して放送通信連携サービスを実現する受信装置と近距離無線により双方向通信する端末装置に備わるコンピュータを、
前記受信装置に搭載されて前記放送通信連携サービスを提供する放送通信連携アプリを制御する第１端末連携アプリとの端末連携サービスを提供する第２端末連携アプリとして機能させるための端末装置のプログラムであって、
前記端末装置のユーザーについて登録されたユーザー情報を、所定のサービス提供装置へ送信するステップと、
前記放送信号により前記受信装置で視聴されている番組について、前記第１端末連携アプリと前記第２端末連携アプリとの連携によって、視聴情報を前記受信装置から受信するステップと、
前記視聴情報を前記ユーザー情報に関連付けて視聴ログとして蓄積させるために前記サービス提供装置へ送信するステップを、前記コンピュータに実行させることを特徴とするプログラム。
【請求項７】
前記受信装置を操作するリモコン画面を表示するステップと、
前記受信装置で受信可能な１つ以上の番組又は前記ユーザーに推薦する１つ以上の番組である候補番組の番組情報を前記サービス提供装置から受信するステップと、
前記候補番組の番組表を前記リモコン画面に表示するステップを、前記コンピュータに実行させることを特徴とする請求項６に記載のプログラム。
【請求項８】
前記受信装置で受信可能な１つ以上の公開コンテンツ又は前記ユーザーに推薦する１つ以上の公開コンテンツの公開コンテンツ情報を前記サービス提供装置から受信するステップと、
前記第１端末連携アプリによって前記１つ以上の公開コンテンツを選択できるように前記公開コンテンツ情報を前記受信装置へ送信し、及び／又は前記第２端末連携アプリによって前記１つ以上の公開コンテンツを選択できるように前記公開コンテンツ情報を表示するステップを、前記コンピュータに実行させることを特徴とする請求項６に記載のプログラム。
【請求項９】
前記受信装置で視聴される番組又は該番組に挿入されるＣＭに連動して前記第１端末連携アプリ及び／又は前記第２端末連携アプリで提供される連動コンテンツを前記サービス提供装置から受信するステップと、
前記第１端末連携アプリによって前記連動コンテンツを提供させるように前記連動コンテンツを前記受信装置へ送信し、及び／又は前記第２端末連携アプリによって前記連動コンテンツを提供するステップを、前記コンピュータに実行させることを特徴とする請求項６に記載のプログラム。
【請求項１０】
前記視聴ログに基づく視聴ポイントの確認画面を前記サービス提供装置から受信するステップと、
前記確認画面を表示するステップを、前記コンピュータに実行させることを特徴とする請求項６に記載のプログラム。
【請求項１１】
放送信号及びコンテンツ信号を受信して放送通信連携サービスを実現する受信装置に備わるコンピュータを、
前記受信装置に搭載されて前記放送通信連携サービスを提供する放送通信連携アプリを制御する第１端末連携アプリとして機能させるための受信装置のプログラムであって、
前記第１端末連携アプリとの端末連携サービスを提供する第２端末連携アプリを搭載していて前記受信装置と近距離無線により双方向通信する端末装置に対して、前記放送信号により視聴している番組の視聴情報を送信し、これにより、前記端末装置を介して前記視聴情報を所定のサービス提供装置へ送信して、前記視聴情報を前記端末装置のユーザー情報に関連付けて視聴ログとして前記サービス提供装置に蓄積させるステップを、前記コンピュータに実行させることを特徴とするプログラム。
【請求項１２】
前記第２端末連携アプリが受けた前記受信装置を操作するリモコン操作を前記端末装置から受信するステップと、
前記リモコン操作に応じて表示や音声出力を制御するステップを、前記コンピュータに実行させることを特徴とする請求項１１に記載のプログラム。
【請求項１３】
前記受信装置で受信可能な１つ以上の公開コンテンツ又はユーザーに推薦する１つ以上の公開コンテンツの公開コンテンツ情報を、前記端末装置を介して前記サービス提供装置から受信するステップと、
前記１つ以上の公開コンテンツを選択できるように前記公開コンテンツ情報を表示するステップを、前記コンピュータに実行させることを特徴とする請求項１１に記載のプログラム。
【請求項１４】
前記受信装置で視聴される番組又は該番組に挿入されるＣＭに連動して提供される連動コンテンツを、前記端末装置を介して前記サービス提供装置から受信するステップと、
受信した前記連動コンテンツを提供するステップを、前記コンピュータに実行させることを特徴とする請求項１１に記載のプログラム。
【発明の詳細な説明】
【技術分野】
【０００１】
本発明は、放送通信連携サービスを実現する受信装置と近距離無線により双方向通信する端末装置に対して、ネットワークを介して通信して端末連携サービスを提供するサービス提供装置、並びに端末装置のプログラム及び受信装置のプログラムに関する。
【背景技術】
【０００２】
近年、テレビジョン放送の分野ではデジタル化が進展する一方、通信の分野ではブロードバンド化が進展している。そこで、テレビジョン放送では、高品質なデジタル放送と多様なインターネットのサービスとを融合したＨｙｂｒｉｄｃａｓｔ（登録商標）等の放送通信連携サービスを提供する技術が提案されている。
【０００３】
また、放送通信連携サービスに対応したテレビジョン受信装置（以下、受信装置と称する）は、スマートフォン等の端末装置と通信を行うものがある。放送通信連携サービスを提供する受信装置のアプリケーションと連携するように、端末装置のアプリケーションを構成することにより、受信装置と端末装置との端末連携サービスを提供することができる。
【０００４】
例えば、非特許文献１に記載のＨｙｂｒｉｄｃａｓｔシステムでは、放送局からの放送波を受信する受信機にアプリケーション（放送通信連携サービス提供プログラム）が実装され、受信機はネットワークサーバと通信を行うことでアプリケーションを実行している。
【０００５】
また、非特許文献２に記載の技術では、スマートフォンのアプリのＨｙｂｒｉｄｃａｓｔ  Ｃｏｎｎｅｃｔ（ハイコネ）は、受信機メーカーに依存せず、どのハイブリッドキャスト対応テレビに対しても端末連携することができる。
【先行技術文献】
【特許文献】
【０００６】
【非特許文献１】「Ｈｙｂｒｉｄｃａｓｔの概要と技術」、ＮＨＫ技研Ｒ＆Ｄ、Ｎｏ．１２４、２０１０．１１、Ｐ１０−Ｐ１７
【非特許文献２】「第３回  ハイブリッドキャストの進化の現状」、ＮＨＫ放送技術研究所、Ｎｏ．１４９、２０１７．８
【発明の概要】
【発明が解決しようとする課題】
【０００７】
従来、番組の放送局やコンテンツの配信事業者は、放送する番組に対応する端末連携サービスを提供するために、放送局や配信事業者等の各種事業者毎に適した端末連携サービスを提供するアプリケーションを作成し、端末装置には、各種事業者毎に適したアプリケーションを搭載していた。しかしながら、各種事業者毎にアプリケーションを作成すると、多大な労力、時間及びコストが生じ、また、ユーザーにとってアプリケーション毎に使い勝手が異なるという問題が生じる。そのため、端末連携サービスの拡張が妨げられている。
【０００８】
そこで、本発明は上記事情を考慮し、各種事業者に共通したアプリケーションを利用し、端末連携サービスの拡張を促進することを目的とする。
【課題を解決するための手段】
【０００９】
上記課題を解決するために、本発明のサービス提供装置は、放送信号及びコンテンツ信号を受信して放送通信連携サービスを実現する受信装置と近距離無線により双方向通信する端末装置に対して、ネットワークを介して通信するサービス提供装置であって、前記端末装置のユーザーについて登録されたユーザー情報を前記端末装置から受信し、前記放送通信連携サービスを提供する放送通信連携アプリを制御する第１端末連携アプリが前記受信装置で起動し、且つ、前記第１端末連携アプリとの端末連携サービスを提供する第２端末連携アプリが前記端末装置で起動しているとき、前記放送信号により前記受信装置で視聴されている番組について、前記第１端末連携アプリ及び前記第２端末連携アプリの連携によって、前記端末装置が前記受信装置から受信した視聴情報を、前記端末装置から受信し、前記端末装置から受信した前記視聴情報を、前記ユーザー情報に関連付けて視聴ログとして蓄積することを特徴とする。
【００１０】
これにより、受信装置の第１端末連携アプリ及び端末装置の第２端末連携アプリを各種事業者に共通したアプリケーションで構成すると共に、第１端末連携アプリ及び第２端末連携アプリを利用するサービス提供装置を設置することで、拡張した端末連携サービスを提供することができる。例えば、ネットワークを介してサービス提供装置と通信する各種事業者に、サービス提供装置に蓄積されたユーザー毎の視聴ログを参照させることができるので、各種事業者は、視聴ログを利用して端末連携サービスの拡張を促進することができる。
【００１１】
上記したサービス提供装置は、複数の番組に関する番組情報を外部から収集し、前記端末装置から受信した前記ユーザー情報及び前記視聴情報に基づいて、前記受信装置で受信可能な１つ以上の番組又は前記ユーザーに推薦する１つ以上の番組を、前記複数の番組から候補番組として検索し、前記受信装置を操作する前記第２端末連携アプリによるリモコン画面で前記候補番組の番組表を表示できるように、前記候補番組の前記番組情報を前記端末装置へ送信するとよい。
【００１２】
これにより、ユーザーの視聴状況に応じて、ユーザーの興味に適した番組や、ユーザーに有益な番組を紹介することができ、端末連携サービスの拡張を促進することができる。
【００１３】
また、上記したサービス提供装置は、公開されている複数の公開コンテンツに関する公開コンテンツ情報を外部から収集し、前記端末装置から受信した前記ユーザー情報及び前記視聴情報に基づいて、前記複数の公開コンテンツから、前記受信装置で受信可能な１つ以上の公開コンテンツ又は前記ユーザーに推薦する１つ以上の公開コンテンツを判定し、前記第１端末連携アプリ及び／又は前記第２端末連携アプリによって前記１つ以上の公開コンテンツを選択できるように、前記１つ以上の公開コンテンツの前記公開コンテンツ情報を前記端末装置へ送信するとよい。
【００１４】
これにより、ユーザーの視聴状況に応じて、ユーザーの興味に適した公開コンテンツや、ユーザーに有益な公開コンテンツを紹介することができ、端末連携サービスの拡張を促進することができる。
【００１５】
また、上記したサービス提供装置は、前記受信装置で視聴される番組又は該番組に挿入されるＣＭに連動して前記第１端末連携アプリ及び／又は前記第２端末連携アプリで提供される連動コンテンツを予め蓄積して管理し、前記視聴情報及び現在の視聴時刻に応じて、前記第１端末連携アプリ及び／又は前記第２端末連携アプリによって前記連動コンテンツを提供させるように前記連動コンテンツを前記端末装置へ送信するとよい。
【００１６】
これにより、ユーザーの視聴している番組やＣＭに連動した連動コンテンツを、各種事業者に共通した第１端末連携アプリや第２端末連携アプリによって提供することができ、端末連携サービスの拡張を促進することができる。
【００１７】
また、上記したサービス提供装置は、前記視聴ログに基づく視聴ポイントを前記ユーザーに付与して前記ユーザー情報に関連付けて記録するとよい。
【００１８】
これにより、ユーザーに視聴ポイントに応じたサービスを提供することができ、ユーザーの視聴を促進して、端末連携サービスの拡張を促進することができる。
【００１９】
更に、上記課題を解決するために、本発明の端末装置のプログラムは、放送信号及びコンテンツ信号を受信して放送通信連携サービスを実現する受信装置と近距離無線により双方向通信する端末装置に備わるコンピュータを、前記受信装置に搭載されて前記放送通信連携サービスを提供する放送通信連携アプリを制御する第１端末連携アプリとの端末連携サービスを提供する第２端末連携アプリとして機能させるための端末装置のプログラムであって、前記端末装置のユーザーについて登録されたユーザー情報を、所定のサービス提供装置へ送信するステップと、前記放送信号により前記受信装置で視聴されている番組について、前記第１端末連携アプリと前記第２端末連携アプリとの連携によって、視聴情報を前記受信装置から受信するステップと、前記視聴情報を前記ユーザー情報に関連付けて視聴ログとして蓄積させるために前記サービス提供装置へ送信するステップを、前記コンピュータに実行させることを特徴とする。
【００２０】
上記した端末装置のプログラムは、前記受信装置を操作するリモコン画面を表示するステップと、前記受信装置で受信可能な１つ以上の番組又は前記ユーザーに推薦する１つ以上の番組である候補番組の番組情報を前記サービス提供装置から受信するステップと、前記候補番組の番組表を前記リモコン画面に表示するステップを、前記コンピュータに実行させるとよい。
【００２１】
また、上記した端末装置のプログラムは、前記受信装置で受信可能な１つ以上の公開コンテンツ又は前記ユーザーに推薦する１つ以上の公開コンテンツの公開コンテンツ情報を前記サービス提供装置から受信するステップと、前記第１端末連携アプリによって前記１つ以上の公開コンテンツを選択できるように前記公開コンテンツ情報を前記受信装置へ送信し、及び／又は前記第２端末連携アプリによって前記１つ以上の公開コンテンツを選択できるように前記公開コンテンツ情報を表示するステップを、前記コンピュータに実行させるとよい。
【００２２】
また、上記した端末装置のプログラムは、前記受信装置で視聴される番組又は該番組に挿入されるＣＭに連動して前記第１端末連携アプリ及び／又は前記第２端末連携アプリで提供される連動コンテンツを前記サービス提供装置から受信するステップと、前記第１端末連携アプリによって前記連動コンテンツを提供させるように前記連動コンテンツを前記受信装置へ送信し、及び／又は前記第２端末連携アプリによって前記連動コンテンツを提供するステップを、前記コンピュータに実行させるとよい。
【００２３】
また、上記した端末装置のプログラムは、前記視聴ログに基づく視聴ポイントの確認画面を前記サービス提供装置から受信するステップと、前記確認画面を表示するステップを、前記コンピュータに実行させるとよい。
【００２４】
更に、上記課題を解決するために、本発明の受信装置のプログラムは、放送信号及びコンテンツ信号を受信して放送通信連携サービスを実現する受信装置に備わるコンピュータを、前記受信装置に搭載されて前記放送通信連携サービスを提供する放送通信連携アプリを制御する第１端末連携アプリとして機能させるための受信装置のプログラムであって、前記第１端末連携アプリとの端末連携サービスを提供する第２端末連携アプリを搭載していて前記受信装置と近距離無線により双方向通信する端末装置に対して、前記放送信号により視聴している番組の視聴情報を送信し、これにより、前記端末装置を介して前記視聴情報を所定のサービス提供装置へ送信して、前記視聴情報を前記端末装置のユーザー情報に関連付けて視聴ログとして前記サービス提供装置に蓄積させるステップを、前記コンピュータに実行させることを特徴とする。
【００２５】
上記した受信装置のプログラムは、前記第２端末連携アプリが受けた前記受信装置を操作するリモコン操作を前記端末装置から受信するステップと、前記リモコン操作に応じて表示や音声出力を制御するステップを、前記コンピュータに実行させるとよい。
【００２６】
また、上記した受信装置のプログラムは、前記受信装置で受信可能な１つ以上の公開コンテンツ又は前記ユーザーに推薦する１つ以上の公開コンテンツの公開コンテンツ情報を、前記端末装置を介して前記サービス提供装置から受信するステップと、前記１つ以上の公開コンテンツを選択できるように前記公開コンテンツ情報を表示するステップを、前記コンピュータに実行させるとよい。
【００２７】
また、上記した受信装置のプログラムは、前記受信装置で視聴される番組又は該番組に挿入されるＣＭに連動して提供される連動コンテンツを、前記端末装置を介して前記サービス提供装置から受信するステップと、受信した前記連動コンテンツを提供するステップを、前記コンピュータに実行させるとよい。
【発明の効果】
【００２８】
本発明によれば、各種事業者に共通したアプリケーションを利用し、端末連携サービスの拡張を促進することが可能となる。
【図面の簡単な説明】
【００２９】
【図１】本発明の一実施形態に係る端末連携サービス提供システムを示すブロック図である。
【発明を実施するための形態】
【００３０】
先ず、図１を参照しながら、Ｈｙｂｒｉｄｃａｓｔ  Ｃｏｎｎｅｃｔ等の端末連携サービスを提供する端末連携サービス提供システム１の構成を説明する。図１に示すように、端末連携サービス提供システム１では、放送局２が、所謂Ｈｙｂｒｉｄｃａｓｔ等の放送通信連携サービスに対応した放送コンテンツ信号を受信装置５に向けて送信している。放送局２に関連する放送通信連携サービスを提供するために、通信コンテンツ配信サーバ３がインターネット等の所定のネットワーク４上に設けられ、受信装置５はネットワーク４を介して通信コンテンツ配信サーバ３に接続される。このように、端末連携サービス提供システム１では、放送局２、通信コンテンツ配信サーバ３及び受信装置５によって放送通信連携サービス提供システムが構成されている。
【００３１】
端末連携サービス提供システム１では、受信装置５は、端末装置６と通信可能に接続され、受信装置５と端末装置６との端末連携によって放送通信連携サービスを拡張する。また、ネットワーク４上には、端末連携サービスを拡張して提供するためにサービス提供装置７が設けられ、端末装置６は、ネットワーク４を介してサービス提供装置７に接続される。更に、サービス提供装置７は、放送局２や公開コンテンツ配信サーバ８にもネットワーク４を介して接続される。公開コンテンツ配信サーバ８は、ＴＶｅｒ、ＹｏｕＴｕｂｅ（登録商標）、ＡｂｅｍａＴＶ等のＶＯＤ（ビデオ・オン・デマンド）を公開コンテンツとして提供している公開コンテンツ事業者が、ネットワーク４を介して受信装置５や端末装置６へ公開コンテンツを提供するために設置した機器である。
【００３２】
なお、図１では、端末連携サービス提供システム１において、放送局２、通信コンテンツ配信サーバ３、受信装置５、端末装置６、サービス提供装置７及び公開コンテンツ配信サーバ８が１つずつ備えられる例を示しているが、これらの構成要素は必要に応じて複数備えられてよい。以下に、端末連携サービス提供システム１の各構成要素を詳細に説明する。
【００３３】
放送局２は、放送通信連携サービスに対応した放送コンテンツ信号を、地上放送波や衛星放送波等の放送波によって受信装置５で受信させるために送信する。なお、受信装置５は、放送波に拘らず、ブロードバンド回線や光ファイバー回線等を利用するインターネット通信やケーブルテレビ回線を利用する通信によって放送コンテンツ信号を受信してもよい。
【００３４】
放送局２が送信する放送コンテンツ信号は、所定の番組の映像信号及び音声信号を含み、映像信号及び音声信号は、受信装置５で再生される。また、放送コンテンツ信号は、番組の映像信号及び音声信号だけでなく、放送通信連携サービスにおいて放送コンテンツや通信コンテンツを実現するためのサービスデータを含む。サービスデータは、放送コンテンツの提供を補助するデータや、通信コンテンツの提供を制御又は補助するデータを含み、例えば、番組についての番組データ、タイムスタンプ、タイミング信号、字幕データ及びその他のデータ情報や、受信装置５に搭載されて放送通信連携サービスを提供するアプリケーションである放送通信連携アプリ１７ａを放送通信連携部１７で実行するために用いるアプリケーション情報がある。
【００３５】
サービスデータにおいて、番組データは、例えば、放送コンテンツ信号で伝達される番組において時間変化しない放送チャンネル、番組タイトル、放送時間や出演者情報等である。タイムスタンプは、例えば、番組の開始時間からのタイムスタンプ情報や絶対時刻等である。タイミング信号は、例えば、番組に挿入されるＣＭ（コマーシャルメッセージ）の切替信号やその他のタイミング信号であり、ＣＭ切替信号はそのＣＭについての企業情報や製品情報等のＣＭデータを含む。字幕データは、番組の日本語、英語その他の外国語等からなる字幕データである。その他の番組データは、例えば、地震速報等の緊急警報のようなデータ放送や、Ｈｙｂｒｉｄｃａｓｔ等の動的なメタコンテンツ情報を含む。アプリケーション情報は、放送通信連携アプリ１７ａの起動や停止を指示する制御信号や、放送通信連携アプリ１７ａの実行に用いられる通信コンテンツ信号の配信元である通信コンテンツ配信サーバ３へのアクセス情報を含む。上記の番組データ、ＣＭデータ、字幕データ等の放送内容に関する情報を、放送情報と称する。
【００３６】
通信コンテンツ配信サーバ３は、放送通信連携アプリ１７ａの実行に用いられる通信コンテンツ信号をネットワーク４を介して配信する。通信コンテンツ配信サーバ３は、例えば、放送局２の管理下に設けられていてもよく、又は、放送局２と連携してサービスを提供するサービス事業者の管理下に設けられていてもよい。
【００３７】
例えば、通信コンテンツ配信サーバ３は、放送局２から受信した放送コンテンツ信号からサービスデータを抽出し、このサービスデータを用いて、受信装置５の放送通信連携部１７によって放送通信連携アプリ１７ａで提供されるコンテンツを有する通信コンテンツ信号を生成する。また、通信コンテンツ配信サーバ３は、受信装置５から所定のキーワードを指定して通信コンテンツ信号の取得要求があると、この要求に応答して上記キーワードに関連するコンテンツを生成する。
【００３８】
受信装置５は、放送通信連携サービスに対応したテレビジョン受信機能を有し、選局操作によって放送局２（チャンネル）が選局されると、その放送局２からの放送コンテンツ信号における映像信号を画面表示すると共に音声信号を音声出力するように構成される。受信装置５は、赤外線、高周波の電磁波（ＲＦ）やＢｌｕｅｔｏｏｔｈ（登録商標）等の無線通信方式を利用した備え付けのリモコンにより操作される。本実施形態では、テレビジョン受像機で構成される受信装置５の例について説明するが、受信装置５は、例えば、ＣＡＴＶ等のセットトップボックス（ＳＴＢ）やその他の端末で構成されてもよい。
【００３９】
受信装置５は、例えば、制御部１０と、記憶部１１と、受信部１２と、分離部１３と、表示部１４と、音声出力部１５と、通信部１６と、放送通信連携部１７と、第１端末連携部１８とを備える。なお、分離部１３、放送通信連携部１７及び第１端末連携部１８、並びに放送通信連携部１７の放送通信連携アプリ１７ａ及び第１端末連携部１８の第１端末連携アプリ１８ａは、制御部１０によって制御されて動作するプログラムで構成されてよい。第１端末連携アプリ１８ａは、制御部１０や記憶部１１で構成されるコンピュータを、端末連携サービスを提供する第１端末連携アプリ１８ａとして機能させるためのプログラムであって、端末連携サービスに関する各種ステップをコンピュータに実行させる。
【００４０】
制御部１０は、ＣＰＵ（Ｃｅｎｔｒａｌ  Ｐｒｏｃｅｓｓｉｎｇ  Ｕｎｉｔ）等で構成され、受信装置５の全体の動作を統括して制御する。記憶部１１は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等のメモリや、ハードディスク等の記録媒体を有する。記憶部１１は、制御部１０で制御される情報やデータやプログラム等を記憶するように構成される。
【００４１】
受信部１２は、地上デジタル放送や衛星放送等によって放送局２から送信された放送コンテンツ信号を受信するチューナー等の受信機器であり、受信した放送コンテンツ信号を分離部１３へと出力する。
【００４２】
分離部１３は、受信部１２が受信した放送コンテンツ信号を、映像信号及び音声信号と、放送通信連携サービスを実現するサービスデータとに分離する。分離部１３は、映像信号及び音声信号を表示部１４及び音声出力部１５へと出力し、サービスデータを制御部１０や放送通信連携部１７へと出力する。
【００４３】
表示部１４は、映像信号を画面表示する液晶ディスプレイ等の表示装置で構成され、音声出力部１５は、音声信号を音声出力するスピーカ等の音声出力装置で構成される。また、表示部１４は、放送通信連携部１７によって所定の情報の静止画像表示や動画像表示の指示があった場合に、その情報を映像信号に重畳して表示し、映像信号に代えて表示し、若しくは映像信号の画面表示に並べて表示し、又はその他の手法によって表示する。音声出力部１５は、放送通信連携部１７によって所定の情報の音声出力の指示があった場合に、その情報を音声信号に重畳して出力し、若しくは音声信号に代えて出力し、又はその他の手法によって音声出力する。
【００４４】
通信部１６は、受信装置５をネットワーク４に接続し、また、受信装置５を端末装置６に接続するためのインターフェースである。例えば、通信部１６は、Ｗｉｆｉ等の無線ＬＡＮや有線によってルーター等の中継機器９に接続し、中継機器９を介してネットワーク４に接続する。また、通信部１６は、無線ＬＡＮによって端末装置６に直接的に通信可能に接続する。あるいは、通信部１６は、中継機器９が無線ＬＡＮによって端末装置６に接続することで、中継機器９を介して端末装置６に間接的に通信可能に接続してもよい。
【００４５】
そして、通信部１６がネットワーク４を介して通信コンテンツ配信サーバ３と通信することにより、受信装置５は、通信コンテンツ信号を通信コンテンツ配信サーバ３から受信可能となる。
【００４６】
放送通信連携部１７は、放送通信連携サービスを提供する放送通信連携アプリ１７ａを、サービスデータのアプリケーション情報に含まれる制御信号やユーザーによる受信装置５の操作に応じて実行する。放送通信連携アプリ１７ａが起動されると、例えば、放送通信連携部１７は、データ放送画面として、表示部１４にブラウザを表示し、ブラウザ上にコンテンツを表示する。
【００４７】
放送通信連携部１７は、例えば、現在の放送コンテンツ信号のサービスデータから、現在の放送内容に関する放送情報を取得し、取得した放送情報に関連して提供すべきコンテンツを決定する。放送通信連携部１７は、コンテンツの提供に必要な通信コンテンツ信号の配信元の通信コンテンツ配信サーバ３を決定し、その通信コンテンツ配信サーバ３に対して通信部１６によってアクセスして通信コンテンツ信号を取得する。放送通信連携部１７は、取得した放送情報や通信コンテンツ信号に基づいて、提供すべきコンテンツを生成し、生成したコンテンツを表示部１４及び音声出力部１５によって出力させたり、通信部１６によって外部に出力させたりする。
【００４８】
また、放送通信連携部１７は、後述するように、第１端末連携部１８からの指示や情報に応じて制御され、第１端末連携部１８へ指示や情報を送信する。
【００４９】
第１端末連携部１８は、放送通信連携サービスを拡張するための受信装置５と端末装置６との端末連携の規格を、受信装置５のメーカーに依存することなく共通化したアプリケーションである第１端末連携アプリ１８ａを実行して、受信装置５と端末装置６との端末連携を受信装置５側で実現するように構成される。第１端末連携部１８は、端末装置６に搭載されて端末連携サービスを提供する第２端末連携部２６と連携して、第１端末連携アプリ１８ａと第２端末連携部２６の第２端末連携アプリ２６ａとを連携させる。第１端末連携部１８は、例えば、端末装置６からの指示や情報に応じて放送通信連携部１７や第１端末連携アプリ１８ａを制御し、また、放送通信連携部１７や第１端末連携アプリ１８ａからの指示や情報を端末装置６へ送信する。
【００５０】
第１端末連携部１８は、受信装置５と同じ無線ＬＡＮに接続された端末装置６の第２端末連携部２６とペアリングを行うことで、第２端末連携部２６との連携を行う。例えば、第１端末連携部１８は、放送通信連携アプリ１７ａの起動の有無に拘らず、第２端末連携部２６から通信部１６によってペアリング要求を受信した場合に、端末装置６の認証を行ってペアリングを行う。一度ペアリングした端末装置６に固有な端末装置情報は、記憶部１１に記憶される。第１端末連携部１８は、受信装置５と端末装置６とのペアリングが解除された後でも、記憶部１１に記憶された端末装置情報を用いることで、その端末装置６を認証なしでペアリングすることができる。
【００５１】
なお、放送通信連携アプリ１７ａが起動していない場合、第１端末連携部１８は、ペアリングの際に、放送通信連携アプリ１７ａを自動的に起動させるとよい。また、受信装置５の電源がオフであって受信装置５がスリープ状態の場合、受信装置５は、第２端末連携部２６からのペアリング要求を受け付けるように第１端末連携部１８を稼働させるとよく、更に、第１端末連携部１８がペアリングを行った場合に、受信装置５の電源を自動的にオンにしてもよい。即ち、受信装置５と端末装置６とが同じ無線ＬＡＮに接続されていれば、端末装置６の第２端末連携部２６で第２端末連携アプリ２６ａが実行されると、受信装置５の電源状態や放送通信連携アプリ１７ａの起動状態に拘らず、第１端末連携部１８と第２端末連携部２６とのペアリングが確立することになる。
【００５２】
第１端末連携部１８は、例えば、第２端末連携部２６から送信された受信装置５のリモコン操作を受け付けるインターフェース機能を有する。第１端末連携アプリ１８ａは、第２端末連携部２６からのリモコン操作に応答して、受信装置５の基本的なリモコン操作、例えば、電源のオン・オフ、チャンネル切替、音量調整、データ放送画面の表示・非表示等を実行するように受信部１２や表示部１４及び音声出力部１５を制御する。なお、第１端末連携アプリ１８ａは、放送通信連携サービスに対応したリモコン操作について、放送通信連携部１７を利用して、放送通信連携部１７によって受信部１２や表示部１４及び音声出力部１５を制御してもよい。
【００５３】
また、第１端末連携部１８は、第２端末連携部２６から送信された受信装置５の予約指示を受け付けるインターフェース機能を有してもよい。第１端末連携アプリ１８ａは、第２端末連携部２６からの予約指示に応答して、番組の視聴予約や予約解除を設定してもよい。なお、第１端末連携アプリ１８ａは、放送通信連携部１７を利用して、番組の視聴予約や予約解除を設定してもよい。
【００５４】
また、第１端末連携部１８は、第２端末連携部２６から送信された視聴情報要求を受け付けるインターフェース機能を有する。第１端末連携アプリ１８ａは、第２端末連携部２６からの視聴情報要求に応答して、受信装置５で現在視聴されている番組についての視聴情報を放送通信連携部１７によって取得して第２端末連携部２６へ送信する。視聴情報は、例えば、視聴時刻、視聴チャンネル、番組タイトル、ＣＭ情報を含み、現在の放送コンテンツ信号のサービスデータから取得可能である。また、視聴情報は、例えば、記憶部１１に記憶されるＢ−ＣＡＳカード番号等の受信装置５に固有な受信装置情報を含む。なお、第１端末連携アプリ１８ａは、放送通信連携部１７を利用して、現在視聴されている番組について拡張した視聴情報を取得してもよい。
【００５５】
なお、第１端末連携アプリ１８ａは、例えば、第２端末連携部２６からのチャンネル切替等のリモコン操作に応じて、自動的に視聴情報を取得して第２端末連携部２６へ送信してもよい。
【００５６】
また、第１端末連携部１８は、第２端末連携部２６から送信された公開コンテンツ情報を受け付けるインターフェース機能を有する。第１端末連携アプリ１８ａは、第２端末連携部２６からの公開コンテンツ情報に応答して、公開コンテンツ情報を選択可能に列挙した公開コンテンツ一覧を作成して表示部１４に表示させる。公開コンテンツ情報は、例えば、公開コンテンツのタイトル、サムネイル、提供時間、出演者、制作会社等を含む。公開コンテンツ情報が選択されると、第１端末連携アプリ１８ａは、公開コンテンツ情報に対応する公開コンテンツを公開コンテンツ配信サーバ８から受信して表示部１４及び音声出力部１５に出力する。
【００５７】
なお、第１端末連携アプリ１８ａは、放送通信連携部１７を利用して、公開コンテンツ情報を表示し、公開コンテンツを提供してもよい。公開コンテンツ情報の表示や公開コンテンツの提供に関して、レイアウト等の設定情報は、第２端末連携部２６から設定されてもよく、受信装置５において設定されてもよい。更に、第１端末連携アプリ１８ａは、受信装置５の公開コンテンツに対するアクセス状況（アクセス操作）を監視し、アクセスされた公開コンテンツについてはアクセスログを第２端末連携部２６へ送信してもよい。
【００５８】
また、第１端末連携部１８は、第２端末連携部２６から送信された連動コンテンツ提供指示を受け付けるインターフェース機能を有する。第１端末連携アプリ１８ａは、第２端末連携部２６からの連動コンテンツ提供指示に応答して、連動コンテンツ提供指示に含まれる連動コンテンツを、現在放送されている番組やＣＭに連動するように表示部１４及び音声出力部１５に出力する。なお、第１端末連携アプリ１８ａは、放送通信連携部１７を利用して、連動コンテンツを提供してもよい。連動コンテンツの提供に関して、レイアウト等の設定情報は、第２端末連携部２６から設定されてもよく、受信装置５において設定されてもよい。第１端末連携アプリ１８ａは、受信装置５の連動コンテンツに対するアクセス状況（アクセス操作）を監視し、アクセスされた連動コンテンツについてはアクセスログを第２端末連携部２６へ送信する。
【００５９】
端末装置６は、インターネット接続可能なスマートフォンやタブレット端末等で構成され、Ｗｉｆｉ等の無線ＬＡＮによって受信装置５と通信可能に接続される。端末装置６は、例えば、制御部２０と、記憶部２１と、表示部２２と、音声出力部２３と、操作入力部２４と、通信部２５と、第２端末連携部２６とを備える。なお、第２端末連携部２６並びに第２端末連携部２６の第２端末連携アプリ２６ａは、制御部２０によって制御されて動作するプログラムで構成されてよい。第２端末連携アプリ２６ａは、制御部２０や記憶部２１で構成されるコンピュータを、端末連携サービスを提供する第２端末連携アプリ２６ａとして機能させるためのプログラムであって、端末連携サービスに関する各種ステップをコンピュータに実行させる。
【００６０】
制御部２０は、ＣＰＵ等で構成され、端末装置６の全体の動作を統括して制御する。記憶部２１は、ＲＯＭやＲＡＭ等のメモリや、ハードディスク等の記録媒体を有する。記憶部２１は、制御部２０で制御される情報やデータやプログラム等を記憶するように構成される。
【００６１】
表示部２２は、映像信号を画面表示するタッチパネル等の表示装置で構成され、音声出力部２３は、音声信号を音声出力するスピーカ等の音声出力装置で構成される。操作入力部２４は、ユーザーの操作入力を受け付ける各種キーを備え、例えば、表示部２２のタッチパネルに表示した各種キーの入力を検知するタッチセンサーで構成される。
【００６２】
通信部２５は、端末装置６をネットワーク４に接続し、また、端末装置６を受信装置５やサービス提供装置７に接続するためのインターフェースである。例えば、通信部２５は、Ｗｉｆｉ等の無線ＬＡＮによって受信装置５に直接的に通信可能に接続し、また、無線ＬＡＮによって中継機器９に接続し、中継機器９を介してネットワーク４に接続する。あるいは、通信部２５は、中継機器９が無線ＬＡＮによって受信装置５に接続することで、中継機器９を介して受信装置５に間接的に通信可能に接続してもよい。また、通信部２５は、中継機器９を介することなく、無線によって外部の基地局に接続して、基地局を介してネットワーク４に接続してもよい。
【００６３】
そして、通信部２５がネットワーク４を介してサービス提供装置７と通信することにより、端末装置６は、サービス提供装置７と通信可能に接続される。例えば、端末装置６は、住所、氏名、年齢、性別、生年月日、居住地等のユーザー情報をサービス提供装置７へ送信して登録することで、サービス提供装置７からのサービスを受けることができる。
【００６４】
第２端末連携部２６は、受信装置５の第１端末連携アプリ１８ａと連携する第２端末連携アプリ２６ａを実行して、受信装置５と端末装置６との端末連携を端末装置６側で実現するように構成される。第２端末連携部２６は、例えば、操作入力部２４の操作入力や、受信装置５やサービス提供装置７からの指示や情報に応じて第２端末連携アプリ２６ａを制御し、また、第２端末連携アプリ２６ａからの指示や情報を受信装置５やサービス提供装置７へ送信する。第２端末連携部２６は、操作入力部２４の操作入力、例えば、表示部２２に表示されたホーム画面における第２端末連携アプリ２６ａのアイコン操作に応じて、第２端末連携アプリ２６ａを起動する。
【００６５】
第２端末連携アプリ２６ａは、起動すると、端末装置６と同じ無線ＬＡＮに接続された受信装置５へ向けたペアリング要求を発行し、第２端末連携部２６は、通信部２５によってペアリング要求を受信装置５の第１端末連携部１８へ送信する。ペアリング要求には、端末装置６に固有な端末装置情報が含まれる。なお、第２端末連携アプリ２６ａは、所定期間の間、ペアリングが確立するまで、定期的にペアリング要求を発行する。そして、第２端末連携部２６は、受信装置５の第１端末連携部１８とペアリングを行うことで、第１端末連携部１８との連携を行う。なお、端末装置６は、第２端末連携アプリ２６ａが起動したときに、ユーザー情報をサービス提供装置７へ送信してログインすることで、第２端末連携アプリ２６ａがサービス提供装置７を利用できるようにしてよい。
【００６６】
また、第２端末連携アプリ２６ａは、起動後に、ペアリングした受信装置５の電源がオンの場合、受信装置５へ向けた視聴情報要求を定期的に発行し、第２端末連携部２６は、通信部２５によって視聴情報要求を受信装置５の第１端末連携部１８へ送信する。第２端末連携部２６は、視聴情報要求に応答した視聴情報を受信装置５から受信して、サービス提供装置７へ送信する。第２端末連携アプリ２６ａは、受信装置５から受信した視聴情報を記憶部２１に一時記憶させる。
【００６７】
また、第２端末連携アプリ２６ａは、受信装置５を操作可能なリモコン画面を表示部２２に表示させる。第２端末連携アプリ２６ａは、ホーム画面としてリモコン画面を表示してもよく、あるいは、リモコン画面の表示・非表示の操作キーをホーム画面に備えてリモコン画面の表示・非表示を切り替えてもよい。例えば、第２端末連携アプリ２６ａは、受信装置５の基本的なリモコン操作、例えば、電源のオン・オフ、チャンネル切替、音量調整、データ放送画面の表示・非表示等の操作キーをリモコン画面に表示する。第２端末連携アプリ２６ａは、リモコン画面における受信装置５のリモコン操作を受け付けて、第２端末連携部２６は、第２端末連携アプリ２６ａが受け付けたリモコン操作を、通信部２５によって受信装置５の第１端末連携部１８へ送信する。
【００６８】
また、第２端末連携部２６は、ユーザー情報及び視聴情報に基づいてサービス提供装置７で検索された候補番組の番組情報をサービス提供装置７から受信する。第２端末連携アプリ２６ａは、サービス提供装置７から受信した番組情報に基づいて、候補番組の番組表を作成し、リモコン画面に表示する。なお、第２端末連携アプリ２６ａは、番組表をリモコン画面に常時表示してもよく、あるいは、番組表の表示・非表示の操作キーをリモコン画面に備えて番組表の表示・非表示を切り替えてもよい。
【００６９】
第２端末連携アプリ２６ａが番組情報要求を発行して、第２端末連携部２６が番組情報要求をサービス提供装置７へ送信し、番組情報要求に応答してサービス提供装置７が送信した番組情報を受信してもよく、あるいは、サービス提供装置７が、自動的に、又は視聴情報の受信に応じてサービス提供装置７が送信した番組情報を受信してもよい。また、第２端末連携アプリ２６ａは、サービス提供装置７から候補番組の番組情報を受信する代わりに、サービス提供装置７で作成された候補番組の番組表を受信してもよい。
【００７０】
第２端末連携アプリ２６ａは、番組表の各番組を操作可能に表示して、番組の視聴予約や予約解除を受け付けて、視聴予約された番組について予約情報を記憶部２１に記憶し、予約解除された予約情報は記憶部２１から削除される。予約情報は、例えば、チャンネル、番組タイトル、出演者、開始時間、終了時間等を含む。第２端末連携部２６は、第２端末連携アプリ２６ａが受け付けた視聴予約や予約解除の予約指示を、通信部２５によって受信装置５の第１端末連携部１８へ送信する。
【００７１】
また、第２端末連携アプリ２６ａは、予約情報一覧の表示・非表示の操作キーをリモコン画面に備えて予約情報一覧の表示・非表示を切り替えてもよい。第２端末連携アプリ２６ａは、予約情報一覧において、記憶部２１に記憶された予約情報を確認可能に列挙して表示する。なお、第２端末連携アプリ２６ａは、予約情報一覧の各予約情報を操作可能に表示して、予約情報に対応する番組の予約解除を受け付けてよく、予約解除された予約情報は記憶部２１から削除され、第２端末連携部２６は予約解除の予約指示を第１端末連携部１８へ送信する。
【００７２】
また、第２端末連携アプリ２６ａは、記憶部２１に記憶された予約情報に基づいて、視聴予約された番組の事前通知を、開始時間より所定時間前に、表示部２２や音声出力部２３によって自動的に出力する。第２端末連携アプリ２６ａは、事前通知のオン・オフや通知方法について任意に設定可能にしてよい。また、第２端末連携アプリ２６ａが起動していない場合でも、スリープ状態の第２端末連携アプリ２６ａや第２端末連携部２６によって事前通知を行ってもよい。
【００７３】
また、第２端末連携アプリ２６ａは、記憶部２１に記憶された予約情報に基づいて、視聴予約された番組の受信装置５での自動出力を、開始時間より所定時間前に、受信装置５に指示する。そこで、第２端末連携アプリ２６ａは、視聴予約された番組の自動出力の指示として、受信装置５の電源オン及びその番組に対応するチャンネル切替のリモコン操作を発行し、第２端末連携部２６は、電源オン及びチャンネル切替のリモコン操作を第１端末連携部１８へ送信する。これにより、視聴予約された番組は、受信装置５で自動的に出力される。
【００７４】
なお、受信装置５が第１端末連携部１８のペアリングを行ったときに電源を自動的にオンにする場合には、第２端末連携アプリ２６ａは、チャンネル切替のリモコン操作のみを発行すればよい。受信装置５の第１端末連携部１８から受信した視聴情報に基づいて、受信装置５で選択されているチャンネルが、既に、視聴予約された番組のチャンネルであった場合には、第２端末連携アプリ２６ａは、番組の自動出力の指示をしなくてもよい。開始時間前の受信装置５の電源がオフであった場合、第２端末連携アプリ２６ａは、視聴予約された番組の終了時間に、電源オフのリモコン操作を発行し、第２端末連携部２６は、電源オフのリモコン操作を第１端末連携部１８へ送信して、受信装置５の電源を自動的にオフにする。
【００７５】
また、第２端末連携部２６は、ユーザー情報及び視聴情報に基づいてサービス提供装置７で作成された公開コンテンツ情報をサービス提供装置７から受信する。第２端末連携部２６は、サービス提供装置７から受信した公開コンテンツ情報を、例えば、第２端末連携アプリ２６ａの指示によって、更に受信装置５へ送信する。
【００７６】
また、第２端末連携アプリ２６ａは、サービス提供装置７から受信した公開コンテンツ情報に基づいて、公開コンテンツ情報を列挙した公開コンテンツ一覧を作成し、リモコン画面に表示する。なお、第２端末連携アプリ２６ａは、公開コンテンツ一覧の表示・非表示の操作キーをリモコン画面に備えて公開コンテンツ一覧の表示・非表示を切り替えるとよい。また、第２端末連携アプリ２６ａは、サービス提供装置７から公開コンテンツ情報を受信する代わりに、サービス提供装置７で作成された公開コンテンツ一覧を受信してもよい。
【００７７】
第２端末連携アプリ２６ａは、公開コンテンツ一覧の各公開コンテンツ情報を操作可能に表示して、公開コンテンツ情報の選択を受け付ける。第２端末連携部２６は、第２端末連携アプリ２６ａで選択された公開コンテンツ情報の提供指示を、通信部２５によって受信装置５の第１端末連携部１８へ送信する。あるいは、第２端末連携アプリ２６ａは、選択された公開コンテンツ情報に対応する公開コンテンツを公開コンテンツ配信サーバ８から受信して表示部２２や音声出力部２３によって出力してもよい。なお、第２端末連携部２６は、公開コンテンツに対するアクセスログを受信装置５から受信して、サービス提供装置７へ送信してもよく、第２端末連携アプリ２６ａは、公開コンテンツに対するアクセスログを記憶部２１に一時記憶させてもよい。
【００７８】
また、第２端末連携部２６は、視聴情報や現在の視聴時刻に基づいてサービス提供装置７で判定された連動コンテンツをサービス提供装置７から受信する。連動コンテンツは、受信装置５で現在視聴されている番組やＣＭに連動して提供されるテキスト、静止画像、動画像、アンケート等のコンテンツであり、受信装置５向けの連動コンテンツと端末装置６向けの連動コンテンツとがある。番組の連動コンテンツは、その番組の放送局等によって作成されてサービス提供装置７に登録され、ＣＭの連動コンテンツは、そのＣＭの広告代理店等によって作成されてサービス提供装置７に登録される。第２端末連携アプリ２６ａは、サービス提供装置７から受信した連動コンテンツの内、端末装置６向けの連動コンテンツをホーム画面又はリモコン画面に表示する。
【００７９】
更に、第２端末連携アプリ２６ａは、表示した連動コンテンツに対するアクセスログを発行し、第２端末連携部２６は、発行されたアクセスログをサービス提供装置７へ送信する。また、第２端末連携アプリ２６ａは、サービス提供装置７から受信した連動コンテンツの内、受信装置５向けの連動コンテンツについて受信装置５への送信を指示し、第２端末連携部２６は、受信装置５向けの連動コンテンツを受信装置５へ送信する。更に、第２端末連携部２６は、受信装置５向けの連動コンテンツに対するアクセスログを受信装置５から受信して、サービス提供装置７へ送信する。第２端末連携アプリ２６ａは、受信装置５向けの連動コンテンツに対するアクセスログを記憶部２１に一時記憶させてもよい。
【００８０】
第２端末連携アプリ２６ａは、連動コンテンツの受信装置５での表示・非表示の操作キーや端末装置６での表示・非表示の操作キーをホーム画面又はリモコン画面に備えて、受信装置５や端末装置６における連動コンテンツの表示・非表示を切り替える。第２端末連携アプリ２６ａは、端末装置６での非表示が設定されている場合には、連動コンテンツを表示しなければよく、受信装置５での非表示が設定されている場合には、連動コンテンツの受信装置５への送信を指示しなければよい。
【００８１】
なお、第２端末連携アプリ２６ａは、受信装置５や端末装置６での表示が設定されている場合のみ、受信装置５や端末装置６への連動コンテンツの送信許可を発行し、第２端末連携部２６が連動コンテンツの送信許可をサービス提供装置７へ送信してもよい。一方、受信装置５や端末装置６での非表示が設定されている場合には、第２端末連携アプリ２６ａは受信装置５や端末装置６への連動コンテンツの送信不可を発行し、第２端末連携部２６は連動コンテンツの送信不可をサービス提供装置７へ送信する。これにより、受信装置５や端末装置６での非表示が設定されている場合には、サービス提供装置７から連動コンテンツが送信されず、端末装置６の通信負荷が軽減される。
【００８２】
サービス提供装置７は、受信装置５と端末装置６との端末連携サービスを拡張する機能を、端末装置６に対して、また、端末装置６を介して受信装置５に対して提供するように、パーソナルコンピュータやサーバで構成される。サービス提供装置７は、例えば、番組を放送する放送局２の放送事業者や番組に挿入されるＣＭの広告代理店、公開コンテンツ配信サーバ８のコンテンツ配信事業者、サービス提供装置７の外部でポイントサービスを提供するポイントサービス事業者、視聴ポイントに応じた電子商取引等の外部サービスを提供する外部サービス事業者等の様々な事業者によって利用される。
【００８３】
サービス提供装置７は、例えば、制御部３０と、記憶部３１と、通信部３２と、視聴ログ取得部３３と、番組情報提供部３４と、公開コンテンツ情報提供部３５と、連動コンテンツ提供部３６と、視聴ポイント管理部３７とを備える。また、サービス提供装置７は、ユーザー情報ＤＢ（データベース）４０と、視聴ログＤＢ４１と、連動コンテンツＤＢ４２と、アクセスログＤＢ４３と、視聴ポイントＤＢ４４を備える。なお、視聴ログ取得部３３、番組情報提供部３４、公開コンテンツ情報提供部３５、連動コンテンツ提供部３６及び視聴ポイント管理部３７は、制御部３０によって制御されて動作するプログラムで構成されてよい。
【００８４】
制御部３０は、ＣＰＵ等で構成され、サービス提供装置７の全体の動作を統括して制御する。記憶部３１は、ＲＯＭやＲＡＭ等のメモリや、ハードディスク等の記録媒体を有する。記憶部３１は、制御部３０で制御される情報やデータやプログラム等を記憶するように構成される。
【００８５】
通信部３２は、無線や有線によってサービス提供装置７をネットワーク４に接続するためのインターフェースである。通信部３２は、ネットワーク４を介して端末装置６、放送局２及び公開コンテンツ配信サーバ８に接続される。また、通信部３２は、上記した放送事業者、広告代理店、コンテンツ配信事業者、ポイントサービス事業者、外部サービス事業者等の各種事業者が利用するパーソナルコンピュータ等の外部コンピュータ５０にネットワーク４を介して接続される。
【００８６】
サービス提供装置７は、例えば、サービス提供装置７を利用するユーザーについてログインのためにユーザー情報をユーザー情報ＤＢ４０に予め登録しておく。そして、サービス提供装置７は、端末装置６からユーザー情報を受信すると、ユーザー情報ＤＢ４０を参照してユーザー情報の認証を行い、認証した端末装置６のログインを許可する。
【００８７】
また、サービス提供装置７は、サービス提供装置７を利用する各種事業者についてログインのために事業者情報をユーザー情報ＤＢ４０に予め登録しておく。そして、サービス提供装置７は、外部コンピュータ５０から事業者情報を受信すると、ユーザー情報ＤＢ４０を参照して事業者情報の認証を行い、認証した外部コンピュータ５０のログインを許可する。サービス提供装置７は、ログイン時のユーザー情報や事業者情報によって端末装置６と外部コンピュータ５０とを識別し、また、ログイン時の事業者情報によって事業者の種別を識別して、識別された対象毎に異なるサービスを提供してもよい。
【００８８】
視聴ログ取得部３３は、端末装置６から視聴情報を受信し、受信した視聴情報を端末装置６のユーザー情報に関連付けて視聴ログとして視聴ログＤＢ４１に蓄積する。また、視聴ログ取得部３３は、視聴ログＤＢ４１に蓄積した視聴ログについて、各種事業者の外部コンピュータ５０からの閲覧要求に応答して閲覧可能に提供する。視聴ログ取得部３３は、事業者の種別に拘らず、所定の条件を満たす事業者に視聴ログの閲覧許可を与えてよい。また、視聴ログ取得部３３は、視聴ログに関連付けられたユーザー情報については、プライバシー保護のために、年齢や性別、居住地等のユーザー種別のみを閲覧可能に提供するとよい。
【００８９】
番組情報提供部３４は、放送局２や放送事業者の外部コンピュータ５０から、複数の番組の番組情報を受信して取得する。この番組情報は、上記した放送チャンネル、番組タイトル、放送時間や出演者情報等に加えて、サムネイルを含んでよい。番組情報提供部３４は、放送局２や放送事業者の外部コンピュータ５０からアクセス可能なＡＰＩとして番組情報を受け付けるＡＰＩを公開するとよい。
【００９０】
また、番組情報提供部３４は、端末装置６についてユーザー情報ＤＢ４０に登録されたユーザー情報や視聴ログＤＢ４１に蓄積された視聴ログに基づいて、端末装置６と端末連携する受信装置５で受信可能な１つ以上の番組や、端末装置６のユーザーに推薦する１つ以上の番組を、候補番組として人工知能等を用いて検索する。なお、ここで受信可能とは、受信装置５の受信装置情報やユーザー情報に基づいて、受信装置５における受信制限や通信可能範囲に関連して判断される。番組情報提供部３４は、検索した候補番組の番組表を端末装置６の第２端末連携アプリ２６ａのリモコン画面で表示できるように、候補番組の番組情報を端末装置６へ送信して、第２端末連携アプリ２６ａで候補番組の番組表を作成させる。なお、番組情報提供部３４は、候補番組の番組情報を送信する代わりに、候補番組の番組表を作成して端末装置６へ送信してもよい。
【００９１】
公開コンテンツ情報提供部３５は、公開コンテンツ配信サーバ８やコンテンツ配信事業者の外部コンピュータ５０から、複数の公開コンテンツの公開コンテンツ情報を受信して取得する。公開コンテンツ情報提供部３５は、公開コンテンツ配信サーバ８やコンテンツ配信事業者の外部コンピュータ５０からアクセス可能なＡＰＩとして公開コンテンツ情報を受け付けるＡＰＩを公開するとよい。
【００９２】
また、公開コンテンツ情報提供部３５は、端末装置６についてユーザー情報ＤＢ４０に登録されたユーザー情報や視聴ログＤＢ４１に蓄積された視聴ログに基づいて、端末装置６と端末連携する受信装置５で受信可能な１つ以上の公開コンテンツや、端末装置６のユーザーに推薦する１つ以上の公開コンテンツを、人工知能等を用いて検索する。公開コンテンツ情報提供部３５は、検索した１つ以上の公開コンテンツを受信装置５の第１端末連携アプリ１８ａや端末装置６の第２端末連携アプリ２６ａで選択できるように、１つ以上の公開コンテンツの公開コンテンツ情報を端末装置６へ送信して、第１端末連携アプリ１８ａや第２端末連携アプリ２６ａで公開コンテンツ情報の公開コンテンツ一覧を作成させる。なお、公開コンテンツ情報提供部３５は、公開コンテンツ情報を送信する代わりに、公開コンテンツ一覧を作成して端末装置６へ送信してもよい。
【００９３】
連動コンテンツ提供部３６は、番組やＣＭに連動して提供される連動コンテンツについて、生成機能、登録機能、提供機能、アクセスログ蓄積機能等を管理する。連動コンテンツ提供部３６は、番組の連動コンテンツの生成機能として、放送局２や放送事業者の外部コンピュータ５０による生成指示や生成操作を受信し、生成指示や生成操作に応じて番組の連動コンテンツを生成する。連動コンテンツ提供部３６は、生成された連動コンテンツの連動コンテンツ情報について放送局２や放送事業者の外部コンピュータ５０による入力操作を受け付ける。番組の連動コンテンツ情報には、例えば、放送チャンネル、番組タイトル、番組の放送時間中における提供時刻（提供タイミング）、提供時間、受信装置５での提供の可否、端末装置６での提供の可否、コンテンツ種別（テキスト、静止画像、動画像、アンケート等）が含まれる。
【００９４】
また、連動コンテンツ提供部３６は、ＣＭの連動コンテンツの生成機能として、番組に挿入されるＣＭの広告代理店の外部コンピュータ５０による生成指示や生成操作を受信し、生成指示や生成操作に応じてＣＭの連動コンテンツを生成する。連動コンテンツ提供部３６は、生成された連動コンテンツの連動コンテンツ情報について広告代理店の外部コンピュータ５０による入力操作を受け付ける。ＣＭの連動コンテンツ情報には、上記した番組の連動コンテンツ情報に加えて、ＣＭで紹介される商品やサービスの名称、会社名等が含まれる。
【００９５】
連動コンテンツ提供部３６は、番組やＣＭの連動コンテンツの登録機能として、上記のように生成した連動コンテンツを連動コンテンツＤＢ４２に登録し、上記のように入力された連動コンテンツ情報を連動コンテンツに関連付けて連動コンテンツＤＢ４２に登録する。
【００９６】
連動コンテンツ提供部３６は、放送局２や放送事業者の外部コンピュータ５０、広告代理店の外部コンピュータ５０からアクセス可能なＡＰＩとして、連動コンテンツの生成機能や登録機能の指示を受け付けるＡＰＩを公開するとよい。
【００９７】
連動コンテンツ提供部３６は、番組やＣＭの連動コンテンツの提供機能として、連動コンテンツＤＢ４２に登録された連動コンテンツを端末装置６へ送信する。例えば、連動コンテンツＤＢ４２では、所定の番組に対して、番組の連動コンテンツや番組に挿入されるＣＭの連動コンテンツが、番組の放送時間中における提供時刻に関連付けられて登録されている。また、視聴ログＤＢ４１では、端末装置６で視聴されている番組の視聴ログが蓄積されている。そこで、連動コンテンツ提供部３６は、視聴ログＤＢ４１に蓄積された視聴ログに基づいて、端末装置６で現在視聴されている番組を判定する。
【００９８】
また、連動コンテンツ提供部３６は、端末装置６で現在視聴されている番組について、連動コンテンツＤＢ４２に番組やＣＭの連動コンテンツが登録されているかを判定する。そして、連動コンテンツ提供部３６は、連動コンテンツが登録されている場合、その連動コンテンツの提供時刻よりも所定時間前に、その連動コンテンツを端末装置６へ送信する。所定の番組に対して番組やＣＭの連動コンテンツが２つ以上登録されている場合には、各連動コンテンツの提供時刻が到来する毎に、各連動コンテンツを端末装置６へ送信する。なお、連動コンテンツ提供部３６は、第２端末連携アプリ２６ａによって連動コンテンツの送信不可が設定されている場合、端末装置６への連動コンテンツの送信を停止する。
【００９９】
連動コンテンツ提供部３６は、連動コンテンツのアクセスログ蓄積機能として、受信装置５や端末装置６における連動コンテンツのアクセスログを端末装置６から受信する。そして、連動コンテンツ提供部３６は、受信したアクセスログをアクセスログＤＢ４３に蓄積する。なお、連動コンテンツ提供部３６は、視聴ログＤＢ４１と同様にして、アクセスログＤＢ４３に蓄積した連動コンテンツのアクセスログについて、各種事業者の外部コンピュータ５０からの閲覧要求に応答して閲覧可能に提供するとよい。
【０１００】
視聴ポイント管理部３７は、ユーザーＤＢ４０に登録されたユーザー情報毎（ユーザー毎）に、視聴ログＤＢ４１に蓄積された視聴ログに基づいて、番組やＣＭの視聴に応じた付加価値として視聴ポイントを付与する。視聴ポイント管理部３７は、各ユーザーに関連付けて、付与した視聴ポイントを視聴ポイントＤＢ４４に記録する。
【０１０１】
視聴ポイント管理部３７による視聴ポイントの付与の仕方のルールは、様々に設定可能であり、例えば、視聴ポイント管理部３７は、総視聴時間が所定時間経過する毎に視聴ポイントを付与したり、所定の番組について連続視聴時間が所定時間経過する毎に視聴ポイントを付与したりする等、視聴時間に応じた視聴ポイントを付与する。また、視聴ポイント管理部３７は、放送局２や代理店の推奨する特定の番組やＣＭを視聴した場合に、他の番組やＣＭよりも多くの視聴ポイントを付与する。
【０１０２】
また、視聴ポイント管理部３７は、視聴ポイントを付与した番組やＣＭについて、番組情報やＣＭ情報、視聴時間等の視聴履歴を、視聴ポイントに関連付けて視聴ポイントＤＢ４４に記録する。
【０１０３】
視聴ポイント管理部３７は、端末装置６から視聴ポイントの確認画面（管理画面）の要求を受けた場合、その端末装置６のユーザー情報に関連付けて視聴ポイントＤＢ４４に記録された視聴ポイントや視聴履歴を表示した確認画面を端末装置６に提供して、第２端末連携アプリ２６ａによって表示させる。
【０１０４】
端末装置６の第２端末連携アプリ２６ａに提示した視聴ポイントの確認画面では、所定の視聴ポイントを他のポイントサービス事業者のポイントに移行させるポイント移行や、所定の視聴ポイントに応じた外部サービスを外部サービス事業者から受け取る外部サービス受取を操作可能である。第２端末連携アプリ２６ａは、視聴ポイントの確認画面の操作に応じて、所定の視聴ポイントに関するポイント移行や外部サービス受取の指示を発行し、第２端末連携部２６はポイント移行や外部サービス受取の指示をサービス提供装置７へ送信する。
【０１０５】
また、視聴ポイント管理部３７は、視聴ポイントＤＢ４４に記録されたユーザー毎の視聴ポイントについて、上記のポイント移行や外部サービス受取を端末装置６のユーザーに提供するために、ポイントサービス事業者や外部サービス事業者の外部コンピュータ５０にアクセス可能なＡＰＩとして、ポイントサービス事業者や外部サービス事業者と連携するＡＰＩを公開するとよい。
【０１０６】
視聴ポイント管理部３７は、第２端末連携アプリ２６ａからのポイント移行や外部サービス受取の指示に応じて、ポイントサービス事業者や外部サービス事業者の外部コンピュータ５０にアクセスする。そして、視聴ポイント管理部３７は、端末装置６のユーザー情報を外部コンピュータ５０に提示すると共に、所定の視聴ポイントに関するポイント移行や外部サービス受取を要求する。外部コンピュータ５０でポイント移行や外部サービス受取が成功すると、視聴ポイント管理部３７は、外部コンピュータ５０から成功通知を受信して端末装置６へ送信する。
【０１０７】
本実施形態では、上述のように、端末連携サービス提供システム１は、放送信号及びコンテンツ信号を受信して放送通信連携サービスを実現する受信装置５と近距離無線により双方向通信する端末装置６に対して、ネットワーク４を介して通信するサービス提供装置７を備える。サービス提供装置７は、端末装置６のユーザーについて登録されたユーザー情報を端末装置６から受信し、放送通信連携サービスを提供する放送通信連携アプリ１７ａを制御する第１端末連携アプリ１８ａが受信装置５で起動し、且つ、第１端末連携アプリ１８ａとの端末連携サービスを提供する第２端末連携アプリ２６ａが端末装置６で起動しているとき、放送信号により受信装置５で視聴されている番組について、第１端末連携アプリ１８ａ及び第２端末連携アプリ２６ａの連携によって、端末装置６が受信装置５から受信した視聴情報を、端末装置６から受信し、端末装置６から受信した視聴情報を、ユーザー情報に関連付けて視聴ログとして蓄積する。
【０１０８】
このような構成により、本実施形態によれば、受信装置５の第１端末連携アプリ１８ａ及び端末装置６の第２端末連携アプリ２６ａを各種事業者に共通したアプリケーションで構成すると共に、第１端末連携アプリ１８ａ及び第２端末連携アプリ２６ａを利用するサービス提供装置７を設置することで、拡張した端末連携サービスを提供することができる。例えば、ネットワーク４を介してサービス提供装置７と通信する各種事業者に、サービス提供装置７に蓄積されたユーザー毎の視聴ログを参照させることができるので、各種事業者は、視聴ログを利用して端末連携サービスの拡張を促進することができる。
【０１０９】
また、本実施形態によれば、サービス提供装置７は、複数の番組に関する番組情報を外部の放送局２や放送事業者の外部コンピュータ５０から収集し、端末装置６から受信したユーザー情報及び視聴情報に基づいて、受信装置５で受信可能な１つ以上の番組又はユーザーに推薦する１つ以上の番組を、複数の番組から候補番組として検索し、受信装置５を操作する第２端末連携アプリ２６ａによるリモコン画面で候補番組の番組表を表示できるように、候補番組の番組情報を端末装置６へ送信する。例えば、端末装置６は、候補番組の番組表を前記リモコン画面に表示する。例えば、受信装置５は、第２端末連携アプリ２６ａが受け付けた受信装置５を操作するリモコン操作を端末装置６から受信し、リモコン操作に応じて表示部１４による表示や音声出力部１５による音声出力を制御する。
【０１１０】
このような構成により、ユーザーの視聴状況に応じて、ユーザーの興味に適した番組や、ユーザーに有益な番組を紹介することができ、端末連携サービスの拡張を促進することができる。
【０１１１】
また、本実施形態によれば、サービス提供装置７は、公開されている複数の公開コンテンツに関する公開コンテンツ情報を外部の公開コンテンツ配信サーバ８やコンテンツ配信事業者の外部コンピュータ５０から収集し、端末装置６から受信したユーザー情報及び視聴情報に基づいて、複数の公開コンテンツから、受信装置５で受信可能な１つ以上の公開コンテンツ又はユーザーに推薦する１つ以上の公開コンテンツを判定し、第１端末連携アプリ１８ａ及び／又は第２端末連携アプリ２６ａによって１つ以上の公開コンテンツを選択できるように、１つ以上の公開コンテンツの公開コンテンツ情報を端末装置６へ送信する。例えば、端末装置６は、第１端末連携アプリ１８ａによって１つ以上の公開コンテンツを選択できるように公開コンテンツ情報を受信装置５へ送信し、及び／又は第２端末連携アプリ２６ａによって１つ以上の公開コンテンツを選択できるように公開コンテンツ情報を表示する。例えば、受信装置５は、１つ以上の公開コンテンツを選択できるように公開コンテンツ情報を表示する。
【０１１２】
このような構成により、ユーザーの視聴状況に応じて、ユーザーの興味に適した公開コンテンツや、ユーザーに有益な公開コンテンツを紹介することができ、端末連携サービスの拡張を促進することができる。
【０１１３】
また、本実施形態によれば、サービス提供装置７は、受信装置５で視聴される番組又は該番組に挿入されるＣＭに連動して第１端末連携アプリ１８ａ及び／又は第２端末連携アプリ２６ａで提供される連動コンテンツを予め蓄積して管理し、視聴情報及び現在の視聴時刻に応じて、第１端末連携アプリ１８ａ及び／又は第２端末連携アプリ２６ａによって連動コンテンツを提供させるように連動コンテンツを端末装置６へ送信する。例えば、端末装置６は、第１端末連携アプリ１８ａによって連動コンテンツを提供させるように連動コンテンツを受信装置５へ送信し、及び／又は第２端末連携アプリ２６ａによって連動コンテンツを提供する。例えば、受信装置５は、受信した連動コンテンツを提供する。
【０１１４】
このような構成により、ユーザーの視聴している番組やＣＭに連動した連動コンテンツを、各種事業者に共通した第１端末連携アプリ１８ａや第２端末連携アプリ２６ａによって提供することができ、端末連携サービスの拡張を促進することができる。
【０１１５】
また、本実施形態によれば、サービス提供装置７は、視聴ログに基づく視聴ポイントをユーザーに付与してユーザー情報に関連付けて記録する。例えば、端末装置６の第２端末連携アプリ２６ａは、視聴ログに基づく視聴ポイントの確認画面をサービス提供装置７から受信して表示する。
【０１１６】
このような構成により、ユーザーに視聴ポイントに応じたサービスを提供することができ、ユーザーの視聴を促進して、端末連携サービスの拡張を促進することができる。
【０１１７】
なお、受信装置５の第１端末連携アプリ１８ａや端末装置６の第２端末連携アプリ２６ａは、ネットワーク４を介して更新可能に構成されてよい。
【符号の説明】
【０１１８】
１  端末連携サービス提供システム
２  放送局
３  通信コンテンツ配信サーバ
４  ネットワーク
５  受信装置
６  端末装置
７  サービス提供装置
８  公開コンテンツ配信サーバ
９  中継機器
１７  放送通信連携部
１７ａ  放送通信連携アプリ
１８  第１端末連携部
１８ａ  第１端末連携アプリ
２６  第２端末連携部
２６ａ  第２端末連携アプリ
３３  視聴ログ取得部
３４  番組情報提供部
３５  公開コンテンツ情報提供部
３６  連動コンテンツ提供部
３７  視聴ポイント管理部
４０  ユーザー情報ＤＢ
４１  視聴ログＤＢ
４２  連動コンテンツＤＢ
４３  アクセスログＤＢ
４４  視聴ポイントＤＢ
【図１】
2020039042.tif 000003
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
放送信号及びコンテンツ信号を受信して放送通信連携サービスを実現する受信装置と近距離無線により双方向通信する端末装置に対して、ネットワークを介して通信するサービス提供装置であって、
前記端末装置のユーザーについて登録されたユーザー情報を前記端末装置から受信し、
前記放送通信連携サービスを提供する放送通信連携アプリを制御する第１端末連携アプリが前記受信装置で起動し、且つ、前記第１端末連携アプリとの端末連携サービスを提供する第２端末連携アプリが前記端末装置で起動しているとき、前記放送信号により前記受信装置で視聴されている番組について、前記第１端末連携アプリ及び前記第２端末連携アプリの連携によって、前記端末装置が前記受信装置から受信した視聴情報を、前記端末装置から受信し、
前記端末装置から受信した前記視聴情報を、前記ユーザー情報に関連付けて視聴ログとして蓄積し、
前記受信装置で視聴される番組又は該番組に挿入されるＣＭに連動した連動コンテンツとして、前記第１端末連携アプリで提供される前記受信装置向けの連動コンテンツ及び前記第２端末連携アプリで提供される前記端末装置向けの連動コンテンツを予め蓄積して管理し、
前記視聴情報及び現在の視聴時刻に応じて、前記第１端末連携アプリによって前記受信装置向けの連動コンテンツを提供させるように、前記受信装置向けの連動コンテンツを前記端末装置を介して前記受信装置へ送信し、また、前記第２端末連携アプリによって前記端末装置向けの連動コンテンツを提供させるように、前記端末装置向けの連動コンテンツを前記端末装置へ送信することを特徴とするサービス提供装置。
【請求項２】
放送信号及びコンテンツ信号を受信して放送通信連携サービスを実現する受信装置と近距離無線により双方向通信する端末装置に対して、ネットワークを介して通信するサービス提供装置であって、
前記端末装置のユーザーについて登録されたユーザー情報を前記端末装置から受信し、
前記放送通信連携サービスを提供する放送通信連携アプリを制御する第１端末連携アプリが前記受信装置で起動し、且つ、前記第１端末連携アプリとの端末連携サービスを提供する第２端末連携アプリが前記端末装置で起動しているとき、前記放送信号により前記受信装置で視聴されている番組について、前記第１端末連携アプリ及び前記第２端末連携アプリの連携によって、前記端末装置が前記受信装置から受信した視聴情報を、前記端末装置から受信し、
前記端末装置から受信した前記視聴情報を、前記ユーザー情報に関連付けて視聴ログとして蓄積し、
前記受信装置で視聴される番組又は該番組に挿入されるＣＭに連動して前記第１端末連携アプリ又は前記第２端末連携アプリで提供される連動コンテンツを予め蓄積して管理し、
前記視聴情報及び現在の視聴時刻に応じて、前記第１端末連携アプリによって前記連動コンテンツを提供させるように前記連動コンテンツを前記端末装置を介して前記受信装置へ送信し、また、前記第２端末連携アプリによって前記連動コンテンツを提供させるように前記連動コンテンツを前記端末装置へ送信し、
公開されている公開コンテンツ又は前記連動コンテンツについて前記第１端末連携アプリによって取得した前記受信装置のアクセスログを前記受信装置から前記端末装置を介して受信して蓄積し、また、前記連動コンテンツについて前記第２端末連携アプリによって取得した前記端末装置のアクセスログを前記端末装置から受信して蓄積することを特徴とするサービス提供装置。
【請求項３】
複数の番組に関する番組情報を外部から収集し、
前記端末装置から受信した前記ユーザー情報及び前記視聴情報に基づいて、前記受信装置で受信可能な１つ以上の番組又は前記ユーザーに推薦する１つ以上の番組を、前記複数の番組から候補番組として検索し、
前記受信装置を操作する前記第２端末連携アプリによるリモコン画面で前記候補番組の番組表を表示できるように、前記候補番組の前記番組情報を前記端末装置へ送信することを特徴とする請求項１又は２に記載のサービス提供装置。
【請求項４】
公開されている複数の公開コンテンツに関する公開コンテンツ情報を外部から収集し、
前記端末装置から受信した前記ユーザー情報及び前記視聴情報に基づいて、前記複数の公開コンテンツから、前記受信装置で受信可能な１つ以上の公開コンテンツ又は前記ユーザーに推薦する１つ以上の公開コンテンツを判定し、
前記第１端末連携アプリ及び／又は前記第２端末連携アプリによって前記１つ以上の公開コンテンツを選択できるように、前記１つ以上の公開コンテンツの前記公開コンテンツ情報を前記端末装置へ送信することを特徴とする請求項１又は２に記載のサービス提供装置。
【請求項５】
前記視聴ログに基づく視聴ポイントを前記ユーザーに付与して前記ユーザー情報に関連付けて記録することを特徴とする請求項１又は２に記載のサービス提供装置。
【請求項６】
放送信号及びコンテンツ信号を受信して放送通信連携サービスを実現する受信装置と近距離無線により双方向通信する端末装置に備わるコンピュータを、
前記受信装置に搭載されて前記放送通信連携サービスを提供する放送通信連携アプリを制御する第１端末連携アプリとの端末連携サービスを提供する第２端末連携アプリとして機能させるための端末装置のプログラムであって、
前記端末装置のユーザーについて登録されたユーザー情報を、所定のサービス提供装置へ送信するステップと、
前記放送信号により前記受信装置で視聴されている番組について、前記第１端末連携アプリと前記第２端末連携アプリとの連携によって、視聴情報を前記受信装置から受信するステップと、
前記視聴情報を前記ユーザー情報に関連付けて視聴ログとして蓄積させるために前記サービス提供装置へ送信するステップと、
前記受信装置で視聴される番組又は該番組に挿入されるＣＭに連動した連動コンテンツとして、前記第１端末連携アプリで提供される前記受信装置向けの連動コンテンツ及び前記第２端末連携アプリで提供される前記端末装置向けの連動コンテンツを、前記第２端末連携アプリによって前記サービス提供装置から受信するステップと、
前記第１端末連携アプリによって前記受信装置向けの連動コンテンツを提供させるように、前記第２端末連携アプリによって前記受信装置向けの連動コンテンツを前記受信装置へ送信し、また、前記第２端末連携アプリによって前記端末装置向けの連動コンテンツを提供するステップと、を前記コンピュータに実行させることを特徴とするプログラム。
【請求項７】
放送信号及びコンテンツ信号を受信して放送通信連携サービスを実現する受信装置と近距離無線により双方向通信する端末装置に備わるコンピュータを、
前記受信装置に搭載されて前記放送通信連携サービスを提供する放送通信連携アプリを制御する第１端末連携アプリとの端末連携サービスを提供する第２端末連携アプリとして機能させるための端末装置のプログラムであって、
前記端末装置のユーザーについて登録されたユーザー情報を、所定のサービス提供装置へ送信するステップと、
前記放送信号により前記受信装置で視聴されている番組について、前記第１端末連携アプリと前記第２端末連携アプリとの連携によって、視聴情報を前記受信装置から受信するステップと、
前記視聴情報を前記ユーザー情報に関連付けて視聴ログとして蓄積させるために前記サービス提供装置へ送信するステップと、
前記受信装置で視聴される番組又は該番組に挿入されるＣＭに連動して前記第１端末連携アプリ又は前記第２端末連携アプリで提供される連動コンテンツを、前記第２端末連携アプリによって前記サービス提供装置から受信するステップと、
前記第１端末連携アプリによって前記連動コンテンツを提供させるように、前記第２端末連携アプリによって前記連動コンテンツを前記受信装置へ送信し、また、前記第２端末連携アプリによって前記連動コンテンツを提供するステップと、
公開されている公開コンテンツ又は前記連動コンテンツについて前記第１端末連携アプリによって取得した前記受信装置のアクセスログを、前記第２端末連携アプリによって前記受信装置から受信して前記サービス提供装置へ送信し、また、前記連動コンテンツについて前記第２端末連携アプリによって取得した前記端末装置のアクセスログを、前記第２端末連携アプリによって前記サービス提供装置へ送信するステップと、を前記コンピュータに実行させることを特徴とするプログラム。
【請求項８】
前記受信装置を操作するリモコン画面を表示するステップと、
前記受信装置で受信可能な１つ以上の番組又は前記ユーザーに推薦する１つ以上の番組である候補番組の番組情報を前記サービス提供装置から受信するステップと、
前記候補番組の番組表を前記リモコン画面に表示するステップを、前記コンピュータに実行させることを特徴とする請求項６又は７に記載のプログラム。
【請求項９】
前記受信装置で受信可能な１つ以上の公開コンテンツ又は前記ユーザーに推薦する１つ以上の公開コンテンツの公開コンテンツ情報を前記サービス提供装置から受信するステップと、
前記第１端末連携アプリによって前記１つ以上の公開コンテンツを選択できるように前記公開コンテンツ情報を前記受信装置へ送信し、及び／又は前記第２端末連携アプリによって前記１つ以上の公開コンテンツを選択できるように前記公開コンテンツ情報を表示するステップを、前記コンピュータに実行させることを特徴とする請求項６又は７に記載のプログラム。
【請求項１０】
前記視聴ログに基づく視聴ポイントの確認画面を前記サービス提供装置から受信するステップと、
前記確認画面を表示するステップを、前記コンピュータに実行させることを特徴とする請求項６又は７に記載のプログラム。
【請求項１１】
放送信号及びコンテンツ信号を受信して放送通信連携サービスを実現する受信装置に備わるコンピュータを、
前記受信装置に搭載されて前記放送通信連携サービスを提供する放送通信連携アプリを制御する第１端末連携アプリとして機能させるための受信装置のプログラムであって、
前記第１端末連携アプリとの端末連携サービスを提供する第２端末連携アプリを搭載していて前記受信装置と近距離無線により双方向通信する端末装置に対して、前記放送信号により視聴している番組の視聴情報を送信し、これにより、前記端末装置を介して前記視聴情報を所定のサービス提供装置へ送信して、前記視聴情報を前記端末装置のユーザー情報に関連付けて視聴ログとして前記サービス提供装置に蓄積させるステップと、
前記受信装置で視聴される番組又は該番組に挿入されるＣＭに連動した連動コンテンツとして、前記第１端末連携アプリで提供される前記受信装置向けの連動コンテンツを、前記第１端末連携アプリによって前記サービス提供装置から前記端末装置を介して受信するステップと、
前記端末装置から受信した前記受信装置向けの連動コンテンツを前記第１端末連携アプリによって提供するステップと、を前記コンピュータに実行させることを特徴とするプログラム。
【請求項１２】
放送信号及びコンテンツ信号を受信して放送通信連携サービスを実現する受信装置に備わるコンピュータを、
前記受信装置に搭載されて前記放送通信連携サービスを提供する放送通信連携アプリを制御する第１端末連携アプリとして機能させるための受信装置のプログラムであって、
前記第１端末連携アプリとの端末連携サービスを提供する第２端末連携アプリを搭載していて前記受信装置と近距離無線により双方向通信する端末装置に対して、前記放送信号により視聴している番組の視聴情報を送信し、これにより、前記端末装置を介して前記視聴情報を所定のサービス提供装置へ送信して、前記視聴情報を前記端末装置のユーザー情報に関連付けて視聴ログとして前記サービス提供装置に蓄積させるステップと、
前記受信装置で視聴される番組又は該番組に挿入されるＣＭに連動して前記第１端末連携アプリで提供される連動コンテンツを、前記第１端末連携アプリによって前記サービス提供装置から前記端末装置を介して受信するステップと、
前記端末装置から受信した前記連動コンテンツを前記第１端末連携アプリによって提供するステップと、
公開されている公開コンテンツ又は前記連動コンテンツについて前記第１端末連携アプリによって取得した前記受信装置のアクセスログを、前記端末装置を介して前記サービス提供装置へ送信させるように、前記第１端末連携アプリによって前記端末装置へ送信するステップと、を前記コンピュータに実行させることを特徴とするプログラム。
【請求項１３】
前記第２端末連携アプリが受けた前記受信装置を操作するリモコン操作を前記端末装置から受信するステップと、
前記リモコン操作に応じて表示や音声出力を制御するステップを、前記コンピュータに実行させることを特徴とする請求項１１又は１２に記載のプログラム。
【請求項１４】
前記受信装置で受信可能な１つ以上の公開コンテンツ又はユーザーに推薦する１つ以上の公開コンテンツの公開コンテンツ情報を、前記端末装置を介して前記サービス提供装置から受信するステップと、
前記１つ以上の公開コンテンツを選択できるように前記公開コンテンツ情報を表示するステップを、前記コンピュータに実行させることを特徴とする請求項１１又は１２に記載のプログラム。